(57)【要約】【課題】建築に関連する業務を飛躍的に効率化することができる建築業務効率化システムを提供する。【解決手段】建築物における建築構成要素相互の接合関係情報に対し、その接合関係を構成あるいは解体するプロセスに関する情報を建築プロセス情報として、建築構成要素の接合関係情報と建築プロセス情報とを対応付けた状態で格納する建築プロセス情報データベース２１と、各建築構成要素に対応するオブジェクトを作成し、これらオブジェクトの組み合わせにより建築物の設計モデルを作成するＣＡＤシステム２０と、各建築構成要素に対応するオブジェクトの数量および各オブジェクトの属性情報に基づいて、各建築構成要素の数量を計数し、当該計数結果を出力する数量情報出力手段１１と、各オブジェクト相互の関係に基づいて、接合関係にある建築構成要素の組合せを抽出し、その組合せの接合関係情報に対応する建築プロセス情報を建築プロセス情報データベースより取得して出力する建築プロセス情報出力手段１１とを備える。【選択図】　　　　図２
2004062601.tif 000002
【特許請求の範囲】
【請求項１】
建築物における建築構成要素相互の接合関係情報に対し、その接合関係を構成あるいは解体するプロセスに関する情報を建築プロセス情報として、建築構成要素の接合関係情報と建築プロセス情報とを対応付けた状態で格納する建築プロセス情報データベースと、
各建築構成要素に対応するオブジェクトを作成し、これらオブジェクトの組み合わせにより建築物の設計モデルを作成するＣＡＤシステムと、
各建築構成要素に対応するオブジェクトの数量および各オブジェクトの属性情報に基づいて、各建築構成要素の数量を計数し、当該計数結果を出力する数量情報出力手段と、
各オブジェクト相互の関係に基づいて、接合関係にある建築構成要素の組合せを抽出し、その組合せの接合関係情報に対応する建築プロセス情報を上記建築プロセス情報データベースより取得して出力する建築プロセス情報出力手段とを備えることを特徴とする建築業務効率化システム。
【請求項２】
建築物における建築構成要素相互の接合関係情報に対し、その接合関係を構成あるいは解体するプロセスに関する情報を建築プロセス情報として、建築構成要素の接合関係情報と建築プロセス情報とを対応付けた状態で格納する建築プロセス情報データベースと、
各建築構成要素に対応するオブジェクトを作成し、これらオブジェクトの組み合わせにより建築物の設計モデルを作成するとともに、各オブジェクト相互の関係に基づいて、接合関係にある建築構成要素の組合せを抽出し、その組合せの接合関係情報を出力するＣＡＤシステムと、
各建築構成要素に対応するオブジェクトの数量および各オブジェクトの属性情報に基づいて、各建築構成要素の数量を計数し、当該計数結果を出力する数量情報出力手段と、
上記ＣＡＤシステムによって出力された接合関係情報に対応する建築プロセス情報を上記建築プロセス情報データベースより取得して出力する建築プロセス情報出力手段とを備えることを特徴とする建築業務効率化システム。
【請求項３】
上記接合関係情報には、各建築構成要素の属する分類コード、接合の形態データおよび接合量が含まれていることを特徴とする請求項１または２に記載の建築業務効率化システム。
【請求項４】
上記建築プロセス情報には、建築構成要素間の接合・分離に関する項目と、その項目の数量データまたは当該数量データを算出するための係数若しくは演算式が含まれていることを特徴とする請求項１〜３の何れかに記載の建築業務効率化システム。
【発明の詳細な説明】
【０００１】
【発明の属する技術分野】
本発明は、建築の設計、積算、施工、メンテナンス、リフォームなど、建築に関わる業務全般に用いて好適な建築業務効率化システムに関するものである。
【０００２】
【従来の技術】
近年では、建築、回路図、航空機、車など多種多様な分野で、ＣＡＤ（Ｃｏｍｐｕｔｅｒ　Ａｉｄｅｄ　Ｄｅｓｉｇｎ）システムが利用されている。例えば、一般的な建築系のＣＡＤシステムにおいては、建築物の各構成要素に対応するオブジェクトの形状データや属性情報を予め定義しておき、設計の際にそれらデータを呼び出して、表示画面上の作図領域内に各オブジェクトを配置することにより、建築物の設計モデルを作成し、これによって、設計作業の省力化を図るようにしている。
【０００３】
この種のＣＡＤシステムに他の関連システムやデータベースを組み合わせたシステムとしては、例えば特開２００１−２４３２６７号公報に開示される建築データベースＣＡＤシステムが知られている。
この建築データベースＣＡＤシステムは、建築系３Ｄ−ＣＡＤと、独自のデータベースと、見積りシステム・発注システム・施工図作成システム等の関連システムを組み合わせ、これらを相互インターフェースで結ぶことにより構成されている。この建築データベースＣＡＤシステムにおいては、建築物の各構成要素に対応するオブジェクトの数量情報とそれらオブジェクトの属性情報に基づいて、各構成要素の数量を算出し、これを当該システム内で共有化することによって積算や発注管理などの業務に役立てるようにしている。
【０００４】
【発明が解決しようとする課題】
しかしながら、上記従来の建築データベースＣＡＤシステムにおいては、建築に関連する業務に必要とされる情報のごく一部をシステム内で共有化したに過ぎず、それだけでは、建築に関連する業務全般の効率化を図る上で不十分であった。すなわち、建築するという行為は、複数の構成要素を接合（場合によっては分解）するという行為の集積であり、その行為のための技術、コスト、時間、作業環境等の様々なリソース、あるいはその行為に起因する環境影響、廃棄物、副産物等が存在する。一般に、建築に関連する業務において管理すべき情報としては構成要素そのものに関する情報よりも、構成要素間の接合・分離に関する情報の方がはるかに多いのである。例えば、鉄筋コンクリートの壁という構成要素の開口部に、アルミサッシという別の構成要素が取り付けられている場合、この部分の建設コストを算出しようとすると、この壁を構築するためのコスト、サッシを製作するためのコストの他に、当然サッシを壁に取り付けるサッシ工の工費が積算されなければならず、この他に型枠工が予め型枠にサッシアンカーを取り付けておくというプロセス、左官工が壁とサッシの隙間にモルタルを充填するというプロセス、防水のためのシール等々、さまざまな工事工程がこの壁とサッシの接合部分に集中して存在し、それらの関連コストを全て積算する必要がある。しかも、これらの工事工程は例えば壁が乾式工法の壁であればまた異なったものとなるというふうに、接合対象の属性の違いによって変化する。したがって、単に構成要素の数量情報を共有化するだけでは、建築に関連する業務全般の効率化を図る上で不十分であり、大きな業務改善効果を得ることは難しかった。
【０００５】
本発明は、かかる事情に鑑みてなされたもので、建築構成要素の数量情報だけでなく、それら建築構成要素を接合あるいは分解するプロセスに関わる情報をシステム内で共有化することができ、これによって、例えば建築積算業務においては、設計部門で作成したＣＡＤデータに基づいて積算項目の拾い出しからその数量の算出、見積書作成までを自動化するシステムの構築を可能にするなど、建築に関連する業務を飛躍的に効率化することができる建築業務効率化システムを提供することを目的とする。
【０００６】
【課題を解決するための手段】
請求項１に記載の本発明に係る建築業務効率化システムは、建築物における建築構成要素相互の接合関係情報に対し、その接合関係を構成あるいは解体するプロセスに関する情報を建築プロセス情報として、建築構成要素の接合関係情報と建築プロセス情報とを対応付けた状態で格納する建築プロセス情報データベースと、各建築構成要素に対応するオブジェクトを作成し、これらオブジェクトの組み合わせにより建築物の設計モデルを作成するＣＡＤシステムと、各建築構成要素に対応するオブジェクトの数量および各オブジェクトの属性情報に基づいて、各建築構成要素の数量を計数し、当該計数結果を出力する数量情報出力手段と、各オブジェクト相互の関係に基づいて、接合関係にある建築構成要素の組合せを抽出し、その組合せの接合関係情報に対応する建築プロセス情報を上記建築プロセス情報データベースより取得して出力する建築プロセス情報出力手段とを備えることを特徴とするものである。
【０００７】
また、請求項２に記載の本発明に係る建築業務効率化システムは、建築物における建築構成要素相互の接合関係情報に対し、その接合関係を構成あるいは解体するプロセスに関する情報を建築プロセス情報として、建築構成要素の接合関係情報と建築プロセス情報とを対応付けた状態で格納する建築プロセス情報データベースと、各建築構成要素に対応するオブジェクトを作成し、これらオブジェクトの組み合わせにより建築物の設計モデルを作成するとともに、各オブジェクト相互の関係に基づいて、接合関係にある建築構成要素の組合せを抽出し、その組合せの接合関係情報を出力するＣＡＤシステムと、各建築構成要素に対応するオブジェクトの数量および各オブジェクトの属性情報に基づいて、各建築構成要素の数量を計数し、当該計数結果を出力する数量情報出力手段と、上記ＣＡＤシステムによって出力された接合関係情報に対応する建築プロセス情報を上記建築プロセス情報データベースより取得して出力する建築プロセス情報出力手段とを備えることを特徴とするものである。
【０００８】
ここで、建築構成要素の接合関係情報には、例えば、請求項３に記載の発明のように、各建築構成要素の属する分類コードと、接合の形態データ、接合量が含まれる。接合の形態としては、例えば、面的接合、線的接合、点的接合、機能的接合などが挙げられる。面的接合とは、建築構成要素どうしが面で接合される形態をいい、これに該当する建築構成要素の組合せとしては、例えば、仕上材と下地材の組合せ、互いに隣接する室と室の組合せなどが挙げられる。この場合、接合量は、建築構成要素が互いに接する面の面積となる。線的接合とは、建築構成要素どうしが線状の接合部を介して相互に接合される形態をいい、このような接合形態を採る箇所としては、例えば、出隅、入隅などのコーナー、壁と床版との取合い部分、壁とサッシ周囲の取合い部分などが挙げられる。この場合、接合量は、建築構成要素が互いに接する線の長さとなる。点的接合とは、建築構成要素どうしが単数または複数の点で接合される形態をいい、このような接合形態を採る箇所としては、例えば、構造部材ジョイント、パラペットコーナー、配管エルボーなどが挙げられる。機能的接合とは、建築構成要素どうしが機能的に結合される形態をいい、これに該当する建築構成要素の組合せとしては、例えば、防災システムと防犯システムの組合せなどが挙げられる。
【０００９】
また、建築プロセス情報には、少なくとも建築構成要素間の接合・分離のために必要な資源や副産物に関する項目が含まれる。その項目は、建築の設計、積算、施工、メンテナンス、リフォームなど、建築プロジェクトの各フェーズ毎にそれぞれ異なり、例えば、建築の設計フェーズにおいて採用される項目としては、接合部に要求される強度、接合部の遮音性、水密性に関する情報などが挙げられ、積算フェーズで採用される項目としては、例えば、接合材（ボルト、接着剤、役物）や接合作業に関する情報などが挙げられ、施工フェーズで採用される項目としては、例えば、接合の作業時間、接合作業に使う機材、接合のための作業スペース、仮役物、養生、騒音に関する情報などが挙げられ、メンテナンスフェーズで採用される項目としては、例えば、接合部の寿命、分離・再接合のコスト、廃棄物に関する情報などが挙げられる。
また、この建築プロセス情報には、上記項目だけでなく、請求項４に記載の発明のように、上記項目の数量データまたは当該数量データを算出するための係数若しくは演算式を含ませるようにすることが望ましい。そうすることで、建築業務に関わるコスト、時間、環境負荷など、あらゆる数量算出に建築プロセス情報を利用することが可能となる。なお、上記項目の数量データ等が含まれてない場合においても、接合に関わる各種情報や知識の抽出、或いは抽出情報に基づいた業務計画の策定などに当該建築プロセス情報を有効に活用することができる。
【００１０】
請求項１〜４の何れかに記載の本発明に係る建築業務効率化システムによれば、各建築構成要素に対応するオブジェクトの数量および各オブジェクトの属性情報に基づいて、各建築構成要素の数量を計数し、当該計数結果を出力するとともに、各オブジェクト相互の関係に基づいて、接合関係にある建築構成要素の組合せを抽出し、その組合せの接合関係情報に対応する建築プロセス情報を建築プロセス情報データベースより取得して出力するようにしたので、建築構成要素の数量情報だけでなく、それら建築構成要素を接合あるいは分解するプロセスに関わる情報をシステム内で共有化することができる。
したがって、それら共有情報を、建築業務に関わるコスト、時間、環境負荷など、種々の数量算出に利用することが可能となり、これによって、例えば、設計、積算、施工、メンテナンス、リフォームなどの建築業務を飛躍的に効率化することが可能となる。
【００１１】
【発明の実施の形態】
図１および図２は、本発明に係る建築業務効率化システムの一実施形態を示す概略構成図である。
この建築業務効率化システム１０は、ＣＡＤシステム２０や各種データベースを包含するシステムであって、図１に示すように、ＣＰＵ１１、ＲＡＭ１２、表示装置１３、入力装置１４、記憶装置１５等により構成され、各部はバス１６により接続されている。
ＣＰＵ（Ｃｅｎｔｒａｌ　Ｐｒｏｃｅｓｓｉｎｇ　Ｕｎｉｔ　）１１は、記憶装置１５の記憶領域に格納されている各種処理プログラム、入力装置１４から入力される各種指示、あるいは指示に対応する各種データ等をＲＡＭ１２に格納し、それら入力指示および各種データに応じてＲＡＭ１２に格納した各種処理プログラムに従って各種処理を実行し、その処理結果をＲＡＭ１２に一時的に記憶するとともに、表示装置１３等に出力する。
【００１２】
なお、ＣＡＤシステム２０は、記憶装置１５の記憶領域に格納されているＣＡＤプログラムを上記ＣＰＵ１１が実行することにより起動されるようになっている。すなわち、ＣＰＵ１１は、ＣＡＤシステム２０の制御手段としても機能し、入力装置１４からの指示入力に基づいて、各建築構成要素に対応するオブジェクト（オブジェクトモデル）を作成し、それらオブジェクトの組み合わせにより建築物の設計モデルを作成する処理を実行する。また、この処理の過程において、ＣＰＵ１１は、記憶装置１５の記憶領域に格納された建築部材分類コードテーブル２２を参照することで、各建築構成要素に対応する分類コードを取得し、これをオブジェクトの属性情報に付加する処理や、オブジェクトの形状データや縮尺データ等に基づいて建築構成要素の量的情報（面積、周長など）を導き出し、これをオブジェクトの属性情報に付加する処理を実行する。さらに、ＣＰＵ１１は、各オブジェクトの形状データや位置情報に基づいて、オブジェクト相互の接合状態を判定し、この判定結果に従って、オブジェクト相互の接合情報（接合関係にあるオブジェクトに対応する建築構成要素の分類コード、接合の形態データ、接合量）を作成し、これを記憶装置１５の記憶領域に格納する処理を実行する。
【００１３】
また、ＣＰＵ１１は、本発明に係る数量情報出力手段を構成しており、ＣＡＤシステム２０によって作成されたオブジェクトの数量および各オブジェクトの属性情報に基づいて、各建築構成要素の数量を計数し、当該計数結果を記憶装置１５内の形態数量データベース２３に格納する処理を実行する。
また、ＣＰＵ１１は、本発明に係る建築プロセス情報出力手段を構成しており、ＣＡＤシステム２０によって作成された各オブジェクト相互の関係（上記接合情報）に基づいて、接合関係にある建築構成要素の組合せを抽出し、その組合せの接合関係情報を記憶装置１５内の形態数量データベース２３に格納するとともに、この接合関係情報に対応する建築プロセス情報を、記憶装置１５内の建築プロセス情報データベース２１から取得して記憶装置１５の所定記憶領域に格納する処理を実行する。
【００１４】
ＲＡＭ（Ｒａｎｄｏｍ　Ａｃｃｅｓｓ　Ｍｅｍｏｒｙ）１２は、ＣＰＵ１１により実行される各種処理プログラムや、その処理に係るデータを一時的に記憶する記憶領域などを備えている。
表示装置１３は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等により構成され、ＣＰＵ１１から入力される表示データに基づいて各種画面を表示する。入力装置１４は、キーボードやポインティングデバイス等により構成され、入力指示信号をＣＰＵ１１に対して出力する。
【００１５】
記憶装置１５は、プログラムやデータ等が記憶される記憶媒体１５ａを有し、この記憶媒体１５ａは磁気的、光学的記録媒体、若しくは半導体メモリで構成されている。この記憶媒体１５ａは記憶装置１５に固定的に設けたもの、若しくは着脱自在に装着するものであり、ＣＰＵ１１により実行される各種処理プログラム（ＣＡＤプログラムや、後述の建築プロセス情報出力処理を実行するためのプログラムを含む。）や制御データ等を記憶する記憶領域、建築プロセス情報データベース２１、建築部材分類コードテーブル２２、形態数量データベース２３等を格納する記憶領域などを備えている。
【００１６】
建築プロセス情報データベース２１は、建築物の各構成要素間の接合・分離のプロセスに関わる建築プロセス情報（実務的建築知識）を集積した知識データベースで、各建築プロセス情報は、建築構成要素の接合関係情報（各建築構成要素の属する分類コード、接合の形態データ）と対応付けた状態で当該データベースに格納されている。
建築プロセス情報には、建築構成要素間の接合・分離のために必要な資源や副産物に関する項目と、その項目の数量データまたは当該数量データを算出するための係数若しくは演算式が含まれている。この建築プロセス情報に含まれる項目は、建築の設計、積算、施工、メンテナンス、リフォームなど、建築プロジェクトの各フェーズ毎にそれぞれ異なり、例えば、施工には、施行業務特有の項目（例えば、接合の作業時間、接合作業に使う機材、接合のための作業スペースなど）が存在する。このため、記憶装置１５の記憶領域には、建築プロジェクトの各フェーズに対応する建築プロセス情報データベース２１（例えば、積算用の建築プロセス情報データベース、施工用の建築プロセス情報データベースなど）がそれぞれ格納されている。
【００１７】
例えば、積算のフェーズにおいて、「下地材Ａ」の上に「表面材Ｂ」を貼るというプロセスのために「下地処理」という工程が必要だとすれば、そのプロセスに関わる「下地処理」を積算項目として挙げる必要がある。したがって、この場合には、「下地処理」という項目を含む建築プロセス情報が、「下地材Ａ」の属する分類コードｍ１および「表面材Ｂ」の属する分類コードｍ２と対応付けられた状態で、積算用の建築プロセス情報データベースに格納されることとなる。
また、「ボードＣ」どうしが直角の出隅をなしている取り合い部分において、この出隅エッジに「コーナービート」という金物（結合部材）が必要だとすれば、この「コーナービート」を積算項目として挙げる必要があるので、その場合には、「コーナービート」という項目を含む建築プロセス情報が、「ボードＣ」の属する分類コードｍ３×ｍ３、「直角出隅」に対応する接合の形態データｊ１と対応付けられた状態で、積算用の建築プロセス情報データベースに格納されることとなる。
【００１８】
建築部材分類コードテーブル２２は、建築プロセス情報データベース２１内で用いられる分類コードと建築構成要素の識別情報との対応関係を示すテーブルである。分類コードは、建築プロセス情報の項目に応じて建築構成要素を分類するためのコードで、建築プロセス情報の項目内容が一致する場合には、同一のコードが付与されるようになっている。
形態数量データベース２３は、ＣＡＤデータから抽出された各建築構成要素の識別情報とその数量、接合関係にある各建築構成要素の接合関係情報（各建築構成要素の属する分類コード、接合の形態データ、接合量）などを格納するためのデータベースである。
これら建築部材分類コードテーブル２２および形態数量データベース２３は、建築プロセス情報データベース２１と同様、建築プロジェクトの各フェーズ毎にそれぞれ設けられている。
【００１９】
次に、上記構成からなる建築業務効率化システム１０によって実行される建築プロセス情報出力処理について、図３に基づいて説明する。なお、ここでは、処理内容をわかり易くするために、建築プロジェクトの特定のフェーズのみを対象とした場合を例にとって、説明を進める。
【００２０】
先ず、ステップＳ１では、ＣＡＤシステム２０の基本機能を利用して、建築物の設計モデルを作成する処理を実行する。この処理においては、入力装置１４からの指示入力に基づいて、建築物の各構成要素に対応するオブジェクトを作成し、それらオブジェクトの属性情報（対応する建築構成要素の識別情報や分類コード、建築構成要素の量的情報など）や、オブジェクト相互の接合情報（接合関係にある各オブジェクトに対応する建築構成要素の分類コード、接合の形態データ、接合量）などを記憶装置１５の記憶領域に格納する処理を実行する。
【００２１】
次いで、ステップＳ２においては、ステップＳ１で記憶装置１５の記憶領域に格納された各オブジェクトの属性情報やその数量に基づいて、各建築構成要素の数量を計数し、当該計数結果を形態数量データベース２３に格納する処理を実行する。
次いで、ステップＳ３においては、ステップＳ１で記憶装置１５の記憶領域に格納されたオブジェクト相互の接合情報に基づいて、接合関係にある建築構成要素の組合せを抽出し、その組合せの接合関係情報（各建築構成要素の属する分類コード、接合の形態データ、接合量）を形態数量データベース２３に格納する処理を実行する。
【００２２】
次いで、ステップＳ４においては、形態数量データベース２３に格納された接合関係情報に対応する建築プロセス情報を、建築プロセス情報データベース２１から取得して、記憶装置１５の所定記憶領域に格納する処理を実行する。
次いで、ステップＳ５においては、ステップＳ４で取得した建築プロセス情報に含まれる係数若しくは演算式と、形態数量データベース２３に格納されたオブジェクト相互の接合情報に含まれる接合量との関係により、建築構成要素間の接合・分離に関する項目の数量データを算出し、これを記憶装置１５の所定記憶領域に格納する処理を実行する。その結果、記憶装置１５の記憶領域には、各建築構成要素の数量情報と、建築構成要素間の接合・分離に関する項目の数量データが記憶され、これにより、それら情報が当該建築業務効率化システム１０内で共有化された状態となる。その後、それら共有情報は、入力装置１４から入力される各種指示等に応じて、積算システムや発注システム等の関連システムに出力されることとなる。
【００２３】
以上のように、上記構成からなる建築業務効率化システム１０によれば、各建築構成要素に対応するオブジェクトの数量および各オブジェクトの属性情報に基づいて、各建築構成要素の数量を計数し、当該計数結果を出力するとともに、各オブジェクト相互の関係に基づいて、接合関係にある建築構成要素の組合せを抽出し、その組合せの接合関係情報に対応する建築プロセス情報を建築プロセス情報データベース２１より取得して出力するようにしたので、建築構成要素の数量情報だけでなく、それら建築構成要素の接合・分離に関する建築プロセス情報をシステム内で共有化することができる。
【００２４】
したがって、それら共有情報を、建築業務に関わるコスト、時間、環境負荷など、あらゆる数量算出に利用することが可能となり、これによって、例えば、設計、積算、施工、メンテナンス、リフォームなどの建築業務を飛躍的に効率化することが可能となる。
また、建築プロセス情報データベース２１に実務的建築知識を格納するようにしたので、設計部門で作成した建築モデルを異なる専門分野での情報管理に効果的に使えるようになり、計画書や見積書等の品質や精度の向上を図ることが可能になるとともに、建築に関わる業務全般において、業務の標準化を推進することが可能になる。
【００２５】
なお、本実施形態では、建築物の設計モデルを作成する過程で、各建築構成要素に対応する分類コードを建築部材分類コードテーブル２２から取得して、これをオブジェクトの属性情報に付加する構成としたが、これに限られるものではなく、例えば、建築プロセス情報を建築プロセス情報データベース２１より取得する直前に、各建築構成要素に対応する分類コードを建築部材分類コードテーブル２２から取得して、これを形態数量データベース２３に格納する構成とすることも可能である。また、本実施形態では、ＣＡＤシステム２０内で自動的に分類コードを付与する構成としたが、例えば、設計モデルの作成時に利用者が分類コードを設定入力する構成とすることも可能である。同様に、本実施形態では、ＣＡＤシステム２０内で自動的に建築構成要素の量的情報（面積、周長など）を導き出す構成としたが、例えば、設計モデルの作成時に利用者が建築構成要素の量的情報を設定入力する構成とすることも可能である。
【００２６】
また、本実施形態では、ＣＡＤシステム２０内でオブジェクト相互の接合状態を判定し、これに基づいて構成要素相互の関係を自動的に検出するようにしたが、例えば、利用者が接合関係にあるオブジェクトの組合せを選択したり、あるいは利用者が属性情報として設定入力したりすることにより、構成要素相互の関係をシステム内で検出できるようにしてもよい。
【００２７】
また、ＣＡＤデータから接合状態情報を取り出す方法としては、ＣＡＤシステムのアプリケーションプログラムによって直接接合関係情報を出力する方法の他に、ＣＡＤシステムのアプリケーションプログラムによって一旦各オブジェクトの形態と位置情報を出力し、この出力された情報をＣＡＤシステム以外のアプリケーションプログラムにより分析して接合関係情報を把握してその情報を出力する方法もある。
また、本実施形態では、建築業務効率化システム１０を単独のコンピュータシステムで構成する場合について例示したが、本発明はこれに限られるものではなく、例えば、複数のコンピュータシステムの組合せによって当該建築業務効率化システム１０を構成することも可能である。また、この場合には、本実施形態で示したＣＰＵ１１の各処理を、各コンピュータシステムのＣＰＵで分散して実行するようにしてもよい。
【００２８】
また、ＣＡＤシステム２０への入力に基づいてオブジェクトモデルを作成する手法には、入力者が直接建築構成要素の３次元形状を入力する手法のほかに、入力された２次元形状とそれとは別に与えられた室の天井高さなどの高さ情報をＣＡＤシステム２０のアプリケーションプログラムが処理して、間接的に３次元オブジェクトを生成する手法も含まれる。
【００２９】
【発明の効果】
以上説明したように、本発明に係る建築業務効率化システムによれば、建築構成要素の数量情報だけでなく、その構成状態を解釈した上での建築・改修・解体プロセスに必要なリソースや副産物の情報を把握・管理するようにしたので、ＣＡＤ上の建物モデルに対する複雑な実務知識の適用をシステム化できるようになる。その結果、例えば建築積算業務においては、ＣＡＤデータに基づいて積算項目の拾い出しからその数量算出、見積書作成までを自動化するシステムが構築可能となるなど、設計、積算、施工、メンテナンス、リフォームなど、建築に関わる業務全般において業務の効率化・省力化を図ることができる。
また、設計部門で作成した建築モデルを異なる専門分野での情報管理に直接使えるようになり、計画書や見積書等の品質や精度の向上を図ることが可能になる。
【図面の簡単な説明】
【図１】本発明に係る建築業務効率化システムの一実施形態を示す概略構成図である。
【図２】図１の建築業務効率化システムにおけるデータの流れを説明するブロック図である。
【図３】図１の建築業務効率化システムによって実行される建築プロセス情報出力処理のフローチャートである。
【符号の説明】
１０　建築業務効率化システム
１１　ＣＰＵ（数量情報出力手段、建築プロセス情報出力手段）
２０　ＣＡＤシステム
２１　建築プロセス情報データベース
【図１】
2004062601.tif 000003
【図２】
2004062601.tif 000004
【図３】
2004062601.tif 000005